(57)【要約】  テント、シェルタ、または他の布地構造体と共に使用可能な雨樋および排水システムに係る。雨樋は、レインフライの縁に沿って位置決めされ、テントドアまたは窓から離れるように雨水を導く。雨水は、テントドアおよび／または窓から適当な距離だけ隔てられた後、レインフライから地面に落下し、または、配水管を経て地面に導かれる。雨樋は、可撓性材料により形成され、レインフライまたは天蓋に縫合されている。排水管は、例えば、長い防水布地チューブと、その上部に結合された可撓性のリングを含む。チューブの終端は、所望の位置に配置され方向付けられる。【選択図】  図１
2007523275.tif 000002
【特許請求の範囲】
【請求項１】
上面と、該上面の上側に延在して排水を導く構造体とを備える、布地カバー。
【請求項２】
前記布地カバーは、テント用布地フライからなる、請求項１に記載の布地カバー。
【請求項３】
前記布地カバーは、シェルタ用キャノピーからなる、請求項１に記載の布地カバー。
【請求項４】
前記構造体は、前記上面の上側に延在するように構成された長い突起を備える、請求項１に記載の布地カバー。
【請求項５】
前記長い突起は、前記上面に取り付けられた可撓ビードを備える、請求項４に記載の布地カバー。
【請求項６】
前記可撓ビードは、前記上面に対して帯状布地により取り付けられる、請求項５に記載の布地カバー。
【請求項７】
前記帯状布地によりループが形成され、前記可撓ビードが該ループ内に位置する、請求項６に記載の布地カバー。
【請求項８】
前記帯状布地が前記可撓ビードを覆うことによりループが形成され、前記ループに隣接する前記布地テープの両端部位が互いに位置決めされて前記上面に取り付けられる、請求項７に記載の布地カバー。
【請求項９】
前記ループと前記可撓ビードとが、前記上面に対する前記帯状布地の取り付け位置に対して回転可能となるように、前記帯状布地と前記可撓ビードとが配置されている、請求項８に記載の布地カバー。
【請求項１０】
前記可撓ビードが前記帯状布地の取り付け位置に対して上方に回転した際に、前記ループの背部により前記上面から上方へ延在する壁が形成され、該壁は前記可撓ビードおよび前記上面に対する前記布地テープの取り付けにより支持される、請求項９に記載の布地カバー。
【請求項１１】
前記壁は、前記上面に対して略直角に延在する、請求項１０に記載の布地カバー。
【請求項１２】
前記構造体に沿って流れる水を第１の端部にて受け入れ、第２の端部へ向けて前記水を導く布地排水管をさらに備える、請求項１に記載の布地カバー。
【請求項１３】
前記布地排水管は、布地チューブにより構成される、請求項１２に記載の布地カバー。
【請求項１４】
前記布地排水管は、前記水を受けるために前記第１の端部を開いた状態に維持するリングを該第１の端部に備える、請求項１２に記載の布地カバー。
【請求項１５】
前記布地排水管は、前記布地カバーに対して着脱自在に取り付けられる、請求項１２に記載の布地カバー。
【請求項１６】
前記構造体は、前記布地カバーの縁に沿って延在する、請求項１に記載の布地カバー。
【請求項１７】
前記構造体は、前記布地カバーの縁の全長にわたって延在する、請求項１６に記載の布地カバー。
【請求項１８】
請求項１に記載の布地カバーをキャノピーとして備えるシェルタ。
【請求項１９】
上面と、該上面の上側に延在して排水を導く構造体とを備えるレインフライを有するテント。
【請求項２０】
前記構造体は、前記上面の上側に延在するように構成された長い突起を備える、請求項１９に記載のテント。
【請求項２１】
前記長い突起は、前記上面に取り付けられた可撓ビードを備える、請求項２０に記載のテント。
【請求項２２】
前記可撓ビードは、前記上面に対して帯状布地により取り付けられる、請求項２１に記載のテント。
【請求項２３】
前記帯状布地によりループが形成され、前記可撓ビードが該ループ内に位置する、請求項２２に記載のテント。
【請求項２４】
前記帯状布地が前記可撓ビードを覆うことによりループが形成され、前記ループに隣接する前記布地テープの両端部位が互いに位置決めされて前記上面に取り付けられる、請求項２３に記載のテント。
【請求項２５】
前記ループと前記可撓ビードとが、前記上面に対する前記帯状布地の取り付け位置に対して回転可能となるように、前記帯状布地と前記可撓ビードとが配置されている、請求項２４に記載のテント。
【請求項２６】
前記可撓ビードが前記帯状布地の取り付け位置に対して上方に回転した際に、前記ループの背部により前記上面から上方へ延在する壁が形成され、該壁は前記可撓ビードおよび前記上面に対する前記布地テープの取り付けにより支持される、請求項２５に記載のテント。
【請求項２７】
前記壁は、前記上面に対して略直角に延在する、請求項２６に記載のテント。
【請求項２８】
前記ガターに沿って流れる水を第１の端部にて受け入れ、第２の端部へ向けて前記水を導く布地排水管をさらに備える、請求項１９に記載のテント。
【請求項２９】
前記布地排水管は、布地チューブにより構成される、請求項２８に記載のテント。
【請求項３０】
前記布地排水管は、前記水を受けるために前記第１の端部を開いた状態に維持するリングを該第１の端部に備える、請求項２８に記載のテント。
【請求項３１】
前記布地排水管は、前記レインフライに対して着脱自在に取り付けられる、請求項２８に記載のテント。
【請求項３２】
前記構造体は、前記レインフライの縁に沿って延在する、請求項１９に記載のテント。
【請求項３３】
前記構造体は、前記レインフライの縁の全長にわたって延在する、請求項３２に記載のテント。
【請求項３４】
前記構造体は、テント用窓の上方に延在する、請求項３２に記載のテント。
【請求項３５】
前記構造体は、テント用ドアの上方に延在する、請求項３２に記載のテント。
【請求項３６】
ガターに沿って流れる水を第１の端部にて受け入れ、第２の端部へ向けて前記水を導く布地排水管を備える、布地カバー。
【請求項３７】
前記布地排水管は、布地チューブにより構成される、請求項３６に記載の布地カバー。
【請求項３８】
前記布地排水管は、前記水を受けるために前記第１の端部を開いた状態に維持するリングを該第１の端部に備える、請求項３６に記載の布地カバー。
【請求項３９】
前記布地排水管は、レインフライに対して着脱自在に取り付けられる、請求項３６に記載の布地カバー。
【請求項４０】
請求項３６に記載の布地カバーを備えるテント。
【発明の詳細な説明】
【技術分野】
【０００１】
本発明は、一般的にテントおよびシェルタに関し、特に、テントおよびシェルタの構造に関する。
【背景技術】
【０００２】
キャンプは人気のある余暇活動であり、多くの人々により楽しまれている。アウトドアを楽しむためにキャンプをする人達もいれば、ホテルに宿泊するよりも安価な代替手段としてキャンプをする人達もいる。
【０００３】
一般的に、キャンパーはキャンプ時にテントの中で就寝する。テントは持ち運び可能なシェルタであり、軽量で、多くの場合には防水加工が施されている布地により作られている。一般的に、布地はフレーム上に伸張され、このフレームにより保持される。テントは、アウトドアでキャンプするために使用され、または一時的な構造物として使用され、多くの形状およびサイズがある。最も一般的な形状は、ドーム型、すなわち自立型のモデルである。このモデルは、設置が容易であり、木の枝または他の支持構造が不要である。
【０００４】
キャンプ時によく使用される他の構造体として、シェルタがある。一般的に、シェルタは、雨、虫、および／または日光を遮断するカバーまたはキャノピーを有する構造体、典型的にはポール付フレームからなる構造体である。キャンプ用として、搬送または収納時にコンパクトな構成に折り畳めるように、シェルタは、一般的に布地および折畳み可能なポールにより作られる。シェルタはスクリーン壁のような壁を有することがある。シェルタは、例えば、ピクニックエリアに設置されたり、貯蔵エリアとしてテントに隣接して使用されたり、雨よけとして機能したり、または、虫除けのために遮蔽された区域として使用される。
【発明の開示】
【発明が解決しようとする課題】
【０００５】
新たな防水材料の開発により、テントのレインフライおよびシェルタキャノピーの雨漏りを防止することは可能である。すなわち、レインフライおよびシェルタキャノピーは、一般的に、その下にあるテントまたは他のアイテムを保護する優れた機能を有する。しかしながら、このようなカバーを使用する場合、レインフライまたはシェルタキャノピーからの排水が、例えばテントドアやテント窓など、望まない領域に落ちるという問題がある。さらに、強い雨の場合には、大量の水がカバーから流れ落ちて、多量の水がはねる場合がある。このことは、テントのレインフライトよりも地面から距離が離されているキャノピーの場合に顕著である。
【課題を解決するための手段】
【０００６】
以下において、本発明の基本的な理解を図るために、本発明のいくつかの実施形態について簡単な概要を示す。この概要は、本発明の広い範囲での概要を示すものではない。また、本発明の重要かつ必須の要素を特定したり、本発明の範囲を画定することを意図したものではない。本発明のいくつかの実施形態について、後述する詳細な説明の前置きとして、簡単な形態により示すことだけを目的としている。
【０００７】
本発明の一実施形態によれば、テント、シェルタ、または他の布地構造体と共に使用可能な雨樋（gutter）および排水管（downspout）システムが提供される。一例として、雨樋は、レインフライの縁に沿って位置決めされ、テントドアまたはテント窓から離れるように水を導く。雨水は、テントドアおよび／または窓から適当な距離だけ隔てられた後、レインフライから地面に落下する。または、本発明の一態様に従って、雨水が、排水管を経て地面に導かれるようにしてもよい。これにより、キャンパーが、テントのドアからテントに出入りする際に、水がキャンパーに滴り落ちることがない。さらに、降雨の際に、窓を部分的に開放しておいても、流れ落ちる雨水が開いた窓からテント内に流れ込むことがない。さらに、シェルタから流れ落ちる雨水を制御および／または導くことができる。
【０００８】
本発明の一態様においては、雨樋（gutter）は、可撓性材料から形成され、レインフライまたはキャノピーに縫合される。本発明の他の態様によれば、前記可撓性材料は、レインフライまたはキャノピーの縁取り布地（trim fabric）の内部に位置する。本発明のさらなる他の態様によれば、前記可撓性材料は、不使用時にレインフライまたはキャノピーをコンパクトにパッキングするために十分な可撓性を有する。可撓性材料は、例えば、独立気泡ポリエチレン、または他の可撓性を有するチューブ押出成形材料により形成される。雨樋は、レインフライまたはシェルタキャノピーの縁に沿って位置決めされる。代替的に、短い雨樋を用いても、この短い雨樋は、テントドアおよび／または窓を避けて雨水が流れ落ちるようにさせるためには十分である。本発明の一実施形態によれば、雨樋材料は、レインフライまたはシェルタキャノピーの縁以外に位置していてもよい。
【０００９】
本発明の一実施形態によれば、雨水の排水制御を向上させる排水管（downspout）を設ける。この排水管は、例えば、長い防水布地チューブと、その上部に結合された可撓性のリングを含む。チューブの終端は、所望の位置に配置され方向付けられる。レインフライまたはシェルタキャノピーに対する排水管の取り付けは、恒久的なものであってもよいし、着脱自在であってもよい。排水管は、テントの下または周囲に水が溜まらないように、雨水の排水をテントまたはシェルタエリアから完全に離すように雨水を導く。
【００１０】
本発明の他の特徴は、次の詳細な説明と、併せて図面を参照することにより、明らかにされる。
【発明を実施するための最良の形態】
【００１１】
以下、本発明の種々の実施形態について説明する。説明を目的として、実施形態の全体的な理解を提供するために、特定の構成と詳細を開示する。しかしながら、当業者であれば、本発明は特定の詳細がなくとも実施できることも明らかである。さらに、説明する実施形態を不明瞭にしないため、周知の特徴については、省略されまたは簡略化される場合がある。
【００１２】
次に、図面を参照して説明する。各図面を通じて、同様の構成については同様の符号を用いる。図１は、本発明の実施形態が組み込まれたテント２０である。図示のテント２０は、簡略化した見本であり、テント２０のポールおよび細部は示されていない。しかしながら、テントの一般的な構成および製造については公知であるため、発明の実施形態の説明を不明瞭なものとしないために、詳細な構成については省略しまたは簡略化する。
【００１３】
テント２０は、テント２０の上部を覆うレインフライ２２を有する。また、テント２０は、ドア２４および窓２６，２８をテント２０の側面に有する。図示の実施形態では、レインフライ２２は、ドア２４および窓２６，２８を超えて外側に延在している。しかしながら、本発明の実施形態は、異なる構造を有するテントにも適用される。
【００１４】
図示のレインフライ２２は、上部３０と側縁３２，３４，３６を有する。図面において、側縁３２は紙面の右側、側縁３４は正面、側縁３６は左側に位置している。
【００１５】
本発明の一実施形態においては、一つまたは複数のガターをレインフライ２２または他のテント用のレインフライに設ける。本発明の実施形態を、テント２０用のレインフライ２２を用いて説明するが、雨水の排水を導くことが望まれるいかなるカバーにも適用できる。例えば、キャノピー、シェルタ、および防水シートが挙げられるが、これらに限られない。
【００１６】
図示の実施形態では、ガターは、レインフライ２２の右側の側縁３２には備えられていない。しかしながら、フルガター４０が、正面の側縁３４の長手方向全体に沿って延在する。部分ガター４２が、左側の側縁３６の長手方向の一部に延在する。フルガター４０は、前側の側縁３４に向かってくる水を、レインフライ２２のコーナー４６，４８へ向けて方向転換させる。部分ガター４２は、窓２６を避けて水を導くが、コーナー４８または反対側の角５０までは伸長していないため、部分ガター４２は左側の側縁３６から水を部分的に方向転換させるのみである。
【００１７】
図３は、フルガター４０の断面図である。図３に示された例は、本発明に従って使用可能なガターの形式の一実施形態にすぎない。一般的に、本発明のガターは、レインフライ２２または他のカバーの上面に取り付けられ、水流を堰き止めるように形成された構造体を有する。構造体としては、例えば、レインフライ２２の上面５２に形成された、ビード（bead）、突起物、または縫製構造が挙げられる。また、ガター用の構造体として、レインフライ２２の布地を曲げて上記のような構造体を形成したものでもよい。すなわち、ガター用の構造体（例えばフルガター４０）は、レインフライ２２の下面５４に取り付けられ、レインフライを貫通して上方に突出したものであってもよい。しかしながら、図３に示されたフルガター４０については、構造体はレインフライ２２の上面５２に取り付けられる。
【００１８】
図３に示された実施形態では、フルガター４０は、トリム材料５６の付属物の一部として形成されている。公知であるが、トリム材料（例えばトリム材料５６）は、布製のカバーの外縁を補強するため、レインフライ、キャノピーまたは他の構造に対して追加されることが多い。一般的に、トリム材料は、縁を覆って設けられ、それ自体を縫い合わせることにより、カバーの外縁に対しての補強材となる。しかしながら、本明細書で使用される「トリム材料」は、レインフライ２２または他のカバーに対して取り付けられる帯状布地であれば、いかなるものであってもよい。
【００１９】
図３に示された実施形態においては、トリム材料５６は、内部にビード５８を備えており、ビード５８はトリム材料５６によって覆われている。後述するように、ビード５８およびトリム材料５６によってガター機能が提供される。
【００２０】
トリム材料５６は、上端６０が開始端としてレインフライ２２の上面５２に沿って位置決めされている。トリム材料５６は、ビード５８を取り囲んでループ６２状に伸び、オーバーラップ部位６４にて上端６０に覆い重なる。トリム材料５６は、次いでレインフライ２２の下面５４よりも下方に回り込み、下端６６で終端となる。
【００２１】
図示の実施形態では、トリム材料５６は糊付、縫合、または他の方法によりレインフライ２２の上面５２および／または下面５４に取り付けることができる。本発明の一実施形態においては、トリム材料５６は、オーバーラップ部位６４の取り付け部位とループ６２との間で屈折部６８が生ずるように、オーバーラップ部位６４が上端６０に対して固定状態に取り付けられる。屈折部６８は、上端６０に対するオーバーラップ部位６４の取り付け末端位置である。トリム材料５６の上端６０は、レインフライ２２の上面５２に対して、同じ屈折部６８まで取り付けらる。
【００２２】
すなわち、本発明の本実施形態においては、ループ６２は、レインフライ２２に取り付けられておらず、ループ６２は、図４に示した位置に移動可能である。この特徴により、レインフライ２２の上面５２を流れ落ちてきた水Ｗは、ループ６２とレインフライ２２の上面５２との間で圧力をかけられ、ループ６２とビード５８とを外側上方へ押し、屈折部６８を中心に回転させる。レインフライ２２の上面５２に対して上端６０が取り付けられることにより、ループ６２およびビード５８が屈折部６８を中心にさらに回転することが阻止され、好ましくは、ループ６２の背面によって、レインフライ２２の上面５２に対しほぼ垂直な壁が形成されるように回転が停止される。これにより、水Ｗ（図４）は、フルガター４０の背面にトラップされ、フルガター４０から溢れ出ることが防止される。水Ｗは、重力によりフルガター４０にそって下方に流れ、各コーナー４６または４８へ移動する。
【００２３】
必要であれば、トリム材料５６は、レインフライ２２の縁以外の箇所に取り付けられていてもよい。例えば、図２のテント７０では、ガター７２，７４は、レインフライ７６の縁７８，７９から離れたレインフライ７６上の位置に配置されている。ガター７２，７４は雨水の排水のほとんどまたは一部を制御するために使用することができる。または、好ましくは、特殊なレインフライまたは他のカバー構造において一部の水の流れ方向を制御するために使用することもできる。
【００２４】
ガター７２，７４は、図３および図４に示したガター４０と同様の方法により取り付けることができる。しかしながら、本実施形態においては、トリム材料５６と同様のトリム材料が使用されるが、当該トリム材料はレインフライ７６の下面にオーバーラップしないことは明らかである。その代わりに、例えば図３のトリム材料５６のベンド８９にて終端させる。
【００２５】
次に、ビード５８について説明する。ビード５８は、不使用時にレインフライ２２をコンパクトに梱包できるように、可撓性材料であることが好ましい。例えば、ビード５８は円形断面または他の適当な断面形状を持つ独立気泡ポリエチレン発泡押出材とすることができる。また、ビード５８は、可撓性を有するポリ塩化ビニル押出チューブでもよい。図５のガター８０の例では、ビード８２は中空である。図６に示した他の例のガター８６では、ビード８８は方形断面である。他の適当な断面形状を用いてもよい。
【００２６】
上述のように、本発明のガターシステムにより、レインフライ（例えばレインフライ２２）を流れ落ちる水を阻止して堰き止めるガター形状が提供される。この堰き止め効果により、例えばレインフライの縁などにおいてガターを超えようとする水の流れを止める抵抗が提供される。そして、ガターに対して平行に、水をガターの端部、例えばコーナー４６または４８に向けて導く。または、部分ガター４２が使用される場合には、例えば、窓２６の外側の縁を越えたあたりに位置するガターの端部に向けて水を導くようにしてもよい。さらに、図２を参照して説明したように、ガター７２または７４等のガターがレインフライまたは他のカバーの縁以外の他の部位に設けられていてもよい。このガターシステムを使用することにより、選択的に雨水の排水を制御することが可能となり、特殊形状のカバーに対して利点となり得る。
【００２７】
本発明の一実施形態においては、排水管１００（例えば図１および図２）を、レインフライ２２または他のカバーのコーナーまたは他の適当な位置に、設けることができる。本発明の一実施形態において、排水管１００は、その上部に縫合または他の手段により環状に連結され、可撓ビード５８と同様な可撓ビード１０２を有する。可撓ビード１０２は、排水管１００が水を受けることができるように、排水管１００の上端を開状態に維持する。排水管１００の他の部位は可撓ビード１０２から下方へ伸び、好ましくは可撓性を有する耐水材料により形成され、チューブ状に形成される。可撓チューブの端部１０４は所望の方向へ向けられる。
【００２８】
使用時には、水はレインフライ２２を流れ落ち、水は排水管１００へ流れ込む。水は、例えばフルガター４０によって上記のように導かれる。排水管１００に導かれた水は、可撓ビード１０２により形成された開口へ流れ込み、端部１０４から排出される。
【００２９】
可撓ビード１０２により、雨樋１００に対して水が容易に流れ込むことができるという利点が提供される。必要であれば、排水管は上記のような可撓ビードを備えない構成でもよい。しかしながら、可撓ビード１０２を備えた構成とすることにより、水を排水管１００に対して容易に捕集することが可能である。さらに、可撓ビード１０２に可撓材料を用いることにより、保管または搬送時に排水管１００をコンパクトな構成に折畳むことができる。
【００３０】
排水管１００は、レインフライ２２に対して適当な手段、例えば縫合、接着、または他の恒久的な取り付け方法により取り付けることができる。あるいは、レインフライ２２に対して、排水管１００を着脱自在に取り付けてもよい。例えば、排水管１００は、フックおよびループファスナー（図示しないが、本技術分野において公知である）により取り付けてもよい。
【００３１】
排水管１００を、コーナー４６，４８に取り付けたが、他の場所に適用してもよい。例えば、レインフライ２２用として、排水管１００を部分ガター４２の両端に取り付けてもよい。排水管１００は、その端部１０４をレインフライ２２に沿った方向、または、排水管１００が十分に長い場合には地面に向けた適当な方向へ向けることができる。
【００３２】
排水管１００の端部１０４は、雨水の排水がテント２０のベースから離れるように、またはシェルタの場合にはシェルタから離れるように向けることができる。この特徴により、テント２０を乾燥状態に保ち、さらにテントまたはシェルタエリアに水たまりを生じさせないようにすることができる。
【００３３】
本発明によれば、レインフライ（例えばレインフライ２２）、シェルタまたは他のカバーからの雨水の排水を制御および導く方法が提供される。本発明のガターシステムによれば、雨水の排水をガターに沿って、例えばレインフライの縁に沿って、ガターの端に向けて下方へ導く。ガターの両端はレインフライのコーナーや他の部位に位置させることができる。コーナーまたは他の部位に導かれた水は、地面に向けて落ちることができ、または、排水管１００に流れこむように導くことができる。排水管１００を使用する際には、その端部を適当な場所に向けることにより、その場所に向けて排水することができる。
【００３４】
他の変形例についても本発明の範囲に含まれる。したがって、本発明は、種々の変形および他の構成を包含しうるが、特定の実施形態について図に示し、上記に詳細に説明したものである。しかしながら、開示した特定の形態に限定する意図はなく、逆に、添付した特許請求の範囲により特定される本発明の思想および範囲に含まれるすべての修正、他の構成、および均等物を含む意図であると理解されるべきである。
【００３５】
本明細書で引用した刊行物、特許出願、および特許を含む全ての参考文献は、各文献が個別および特定の参考文献として組み込まれるように指示され、本明細書中に全体として開示された場合と等しい範囲について、参考文献として組み込まれる。
【００３６】
本発明を説明する文脈中（特に特許請求の範囲の文脈中）における、「一つの」、「前記」および同様の指示語は、本発明中に特に明示がなければ、または明らかな矛盾がなければ、単数および複数両方を含むと解釈される。「構成され」、「有し」、「含み」および「含有し」との語は、非制限的な語として解釈される（例えば、「非限定的に含む」を意味する）。「連結され」との語は、何らかのものが介在していたとしても、部分的または全体的に内包され、取り付けられ、または互いに連結されていると解釈される。本明細書における数値範囲の列挙は、本明細書中で特に示されていなければ、単に当該範囲中に入る別個の値を独立して引用するための簡略方法として意図されたものであり、各別個の値は、本明細書中に独立して列挙されているように本明細書中に組み込まれる。本明細書に記載されたすべての方法は、本明細書中で特に示されていなければ、または、文脈上明らかに矛盾していなければ、いかなる順番でも適当なものである。本明細書で提供された、いかなるまたはすべての例示の使用、または、例示言語（例えば「等」）は、特に断りがなければ、単に本発明の実施形態をよりよく修飾するものにすぎず、本発明の範囲に制限を与えるものではないと意図される。本明細書中のいかなる言語は、特許請求の範囲にない要素を、本発明を実行するために必須な要素を示唆するものであると解釈されるべきではない。
【００３７】
本発明を実行するために本発明者らが知る最適な実施形態を含む本発明の好ましい実施形態が、本明細書中に記載されている。当業者にとって、上記の記載を読めば、これらの好ましい実施形態の変形は自明なものとなる。発明者らは、そのような変形を適切になすことを、当業者に期待する。また、発明者らは、本明細書中に特に記載された以外の方法により本発明が実行されることも意図している。すなわち、本発明は、添付された特許請求の範囲中に列挙された主題の全ての変形物および均等物についても、該当する法律により権利が与えられたものとして包含する。さらに、本明細書中で特に示されていなければ、または文脈上明らかに矛盾していなければ、全ての可能な変形中における上記に記載された要素のいかなる組み合わせも、本発明により包含される。
【図面の簡単な説明】
【００３８】
【図１】本発明の一実施形態が組み込まれたテントの側面斜視図である。
【図２】本発明の一実施形態が組み込まれたテントの平面斜視図である。
【図３】図１の３−３線に沿った断面図であり、図１のテントに使用されるガターを示す。
【図４】図３のガターを示す、図３と同様の断面図であり、図１のテント用のレインフライ上を流れる雨に対する対応を示す。
【図５】図３と同様の断面図であり、ガターの変形例を示す。
【図６】図３と同様の断面図であり、ガターのさらなる他の変形例を示す。
【符号の説明】
【００３９】
２０，７０  テント
２２，７６  テントフライ
２４  テント用ドア
２６  テント用窓
３２，３４，３６  側縁
４０  フルガター
４２  部分ガター
４６，４８  コーナー
５６  トリム材料
５８  可撓ビード
６２  ループ
１００  排水管
１０２  可撓ビード（リング）
【図１】
2007523275.tif 000003
【図２】
2007523275.tif 000004
【図３】
2007523275.tif 000005
【図４】
2007523275.tif 000006
【図５】
2007523275.tif 000007
【図６】
2007523275.tif 000008
【国際調査報告】
2007523275.tif 000009
2007523275.tif 000010
2007523275.tif 000011
2007523275.tif 000012